(57)【要約】【課題】複数台列設した遊技機の夫々にパチンコ玉を補給することを可能とした補給玉移送装置であって、遊技島の高さを低く抑えることができる構成とし、従来の搬送ベルトのようなベルト切れのおそれがなく、施工及びメンテナンスにおいても面倒な作業を必要としない補給玉移送装置を提供する。【解決手段】遊技島３の上部に設けられた補給樋４の内部の長手方向に沿って円筒形状の回転筒６がモータ駆動によって回転可能に支承され、該回転筒６の内周面に沿う軸方向に所定の螺旋ピッチを有する螺旋体（螺旋形突条１５）が設けられると共に、該回転筒６の螺旋ピッチ間に所定間隔で排出穴７が形成されたことにより、回転筒６の入口側内部に搬送されたパチンコ玉Ｂが回転筒６の回転に伴って螺旋ピッチ間を移送されながら任意の排出穴７から外部に排出され、補給樋４の案内に従って遊技島３の各遊技機２に補給されるようにした。【選択図】図３
2006230730.tif 000002
【特許請求の範囲】
【請求項１】
遊技島の上部に設けられた補給樋の内部の長手方向に沿って円筒形状の回転筒がモータ駆動によって回転可能に支承され、該回転筒の内周面に沿う軸方向に所定の螺旋ピッチを有する螺旋体が設けられると共に、該回転筒の螺旋ピッチ間に所定間隔で排出穴が形成されたことにより、前記回転筒の入口側内部に搬送されたパチンコ玉が前記回転筒の回転に伴って前記螺旋ピッチ間を移送されながら任意の排出穴から外部に排出され、前記補給樋の案内に従って遊技島の各遊技機に補給されるようにしたことを特徴とする補給玉移送装置。
【請求項２】
前記補給樋は横断面形状が中央から両側に向かって下り勾配を有し、該補給樋の中央に沿う上方に前記回転筒が回転自在に支承され、前記回転筒の回転に伴って前記螺旋ピッチ間を移送されながら任意の排出穴から外部に排出され、前記補給樋の勾配面に沿って両側へ流下し、さらに前記補給樋の両側下部に所定間隔で設けられた補給口から遊技島の各遊技機に補給されるようにしたことを特徴とする請求項１記載の補給玉移送装置。
【発明の詳細な説明】
【技術分野】
【０００１】
本発明は、複数台列設した遊技機、或いは遊技機と玉貸機の夫々にパチンコ玉を補給するようにした補給玉移送装置に関するものである。
【背景技術】
【０００２】
複数台列設した遊技機にパチンコ玉を補給する従来の技術としては、図９に示すように、揚送装置４１で揚送した研磨済の玉を上部タンク４２に貯留した後、傾斜状に設けられた補給樋４３を経て各遊技機４５、４５…に分配するように構成されていた。
【０００３】
ところが、このような傾斜状の補給樋４３を設置するためには、上部タンク４２を遊技島４４の上部の高位置に設置すると共に、この上部タンク４２から傾斜状に連通された補給樋４３を各遊技機４５、４５…の上部に設ける必要があるため、遊技島４４の上部には補給樋４３が視界を遮る状態で設置され、視覚的に圧迫感を与えると共に、遊技場全体の見映えが悪くなり、遊技場の内装設備の設計にも制約を与えるという問題があった。
【０００４】
さらには、上記した従来の補給樋４３は、防犯カメラの死角をつくるため、不正行為の抑制に対しては悪条件となり、セキュリティ面においても好ましくないという問題があった。
【０００５】
そこで、従来から、遊技島の高さを低く抑えるための装置が開発されている。その例として、特許文献１に記載された「パチンコ島台」は、図１０に示すように、揚送装置５０で揚送されたパチンコ玉５１を貯留することなく、直ちに流下させ、この流下してきたパチンコ玉５１を水平搬送ベルト５２によって搬送すると共に、水平搬送ベルト５２の両側に設けられた分離器５３にパチンコ玉５１を分離して供給するようにしたものである。
【０００６】
ところが、このような装置においては、水平搬送ベルト５２のテンション機構が大掛かりなものとなるため、施工や設置作業に多大な労力を要することとなる。また、ベルト切れを生じるおそれがあり、ベルト切れが発生したときには、営業が停止するという重大な事態となる。さらに、ベルト切れの修復作業においては、ベルト上面のパチンコ玉を取り除く必要があり、面倒な作業を要することとなる。
【０００７】
また、特許文献２に記載された「パチンコ玉の自動移送装置」は、図１１(ａ)又は(ｂ)に示すように、回転自在に横架した回転管５５の内周面に螺旋線条５６が挿通され、回転管５５の一端に固定したプーリ５７にベルト５８を張架して電動モータ５９で回転駆動することにより、回転する回転管５５の内部に移送されたパチンコ玉６０を螺旋線条５６の回転によって移送するようにしたものである。
【０００８】
ところが、このような装置は、単に、パチンコ玉６０を移送するために構成されたもので、パチンコ玉６０は回転管５５の一端から移送されて他端の開口６１から排出されるため、列設された複数の遊技機の夫々にパチンコ玉を補給する機能を備えるものではない。
【特許文献１】特許第２５１８４９０号公報
【特許文献２】実公昭４７−１７６１８号公報
【発明の開示】
【発明が解決しようとする課題】
【０００９】
本発明は、上記の事情に鑑みてなされたもので、複数台列設した遊技機、或いは遊技機と玉貸機の夫々にパチンコ玉を補給することを可能とした補給玉移送装置であって、遊技島の高さを低く抑えることができる構成とし、従来の搬送ベルトのようなベルト切れのおそれがなく、施工及びメンテナンスにおいても面倒な作業を必要としない補給玉移送装置を提供することを目的とする。
【課題を解決するための手段】
【００１０】
上記の問題を解決するために、本発明の請求項１の補給玉移送装置は、遊技島の上部に設けられた補給樋の内部の長手方向に沿って円筒形状の回転筒がモータ駆動によって回転可能に支承され、該回転筒の内周面に沿う軸方向に所定の螺旋ピッチを有する螺旋体が設けられると共に、該回転筒の螺旋ピッチ間に所定間隔で排出穴が形成されたことにより、前記回転筒の入口側内部に搬送されたパチンコ玉が前記回転筒の回転に伴って前記螺旋ピッチ間を移送されながら任意の排出穴から外部に排出され、前記補給樋の案内に従って遊技島の各遊技機に補給されるようにしたことを特徴とする。
【００１１】
また、請求項２の発明は、請求項１において、前記補給樋は横断面形状が中央から両側に向かって下り勾配を有し、該補給樋の中央に沿う上方に前記回転筒が回転自在に支承され、前記回転筒の回転に伴って前記螺旋ピッチ間を移送されながら任意の前記排出穴から外部に排出され、前記補給樋の勾配面に沿って両側へ流下し、さらに前記補給樋の両側下部に所定間隔で設けられた補給口から遊技島の各遊技機に補給されるようにしたことを特徴とする。
【発明の効果】
【００１２】
本発明の補給玉移送装置は、遊技島の上部に沿って水平状に設けられた補給樋の内部に収まる構成とされているため、設置高さを低く抑えることができ、遊技島の上方の視界に圧迫感を与えることがなく、遊技場全体の見映えを良くすることができ、さらに防犯カメラの死角が従来装置に比べて生じ難く、セキュリティ対策にも好適するものである。
【００１３】
また、パチンコ玉の移送手段として内周に螺旋形突条を有する回転筒が使用されているため、従来装置の水平搬送ベルトのようにベルト切れのおそれがなく、故障の少ない信頼性の高い装置として使用することが可能である。
【００１４】
さらに、回転筒の螺旋ピッチ間に所定間隔で排出穴が形成されると共に、補給樋の両側の下部に所定間隔で補給口が設けられているため、回転筒内を移送されたパチンコ玉は回転筒の排出穴から排出された後、補給樋の補給口を経て落下することにより、遊技島の各遊技機に補給することができる。
【発明を実施するための最良の形態】
【００１５】
以下、本発明の実施例について図面を参照しながら説明する。
【００１６】
本発明による補給玉移送装置１は、図１に示すように、複数台列設した遊技機２、２…の夫々にパチンコ玉を補給するようにしたものであり、該補給玉移送装置１は、遊技島３の上部に沿って水平状に設けられた補給樋４の内部に構成されているため、遊技島３の上方の視界にほとんど影響を与えないものである。
【００１７】
補給樋４は、図２に示すように、上方が開放された長尺の箱形（図４参照）から成り、この箱形の両側下部には各遊技機２に対応する間隔をあけて補給口５、５…が形成されている。また、図７に示すように、補給樋４の底板４ａは、横断面形状が中央から両側に向かって下り勾配を有する勾配面とされ、後述する回転筒６の排出穴７（図３参照）から流下したパチンコ玉Bは、この両側の勾配面に沿って両側に振分けられながら補給樋４の両側の低位置に至った後、補給樋４の各補給口５、５…を経て落下する。
【００１８】
また、図２に示すように、上記の補給樋４の端部には揚送装置８（図１参照）で揚送したパチンコ玉Bを受ける投入ジョーゴ９が設けられている。この投入ジョーゴ９は、図６に示すように、補給樋４の内部に設けられた回転筒６の端部の入口側開口６ａに連通され、投入ジョーゴ９内に投入されたパチンコ玉Bを回転筒６内に送入することができる。なお、投入ジョーゴ９の取付け手段については不図示であるが、投入ジョーゴ９は回転筒６の回転からは独立した状態で補給樋４又は周辺の部材に結合されている。
【００１９】
上記の補給樋４の内部には、長手方向に沿って円筒形状の回転筒６が設けられ、図７に示すように、補給樋４の底板４ａに離間して設けられた複数の支持ローラ１０、１０…で支持されることによって補給樋４の底板４ａからやや浮上した状態で回転自在に設けられている。
【００２０】
また、補給樋４の端部、又は、例えば中間部位の任意の下部に電動モータ１１が設けられ、この電動モータ１１の回転軸１１ａと上記の回転筒６とが連結されている。そのための連結手段としては、図７に示すように、電動モータ１１の回転軸１１ａにプーリ１２を設け、このプーリ１２と回転筒６の外周とにベルト１３を掛けることによって電動モータ１１の回転力を回転筒６に伝達するようにしている。
【００２１】
また、図８に示すように、モータ１１を補給樋４の上部に設けた場合、回転筒６に掛けられたベルト１３によって回転筒６を上方へ引く力が作用するため、下部に支持ローラ１０、１０…を設けるほかに、補給樋４の上部の必要箇所に天板１４を設け、この天板１４に支持ローラ１０を設けることによって、回転筒６の浮上を防止する必要がある。
【００２２】
さらに、上記の回転筒６の回転手段は、不図示であるが、電動モータ１１の回転軸１１ａと回転筒６とをギア機構又はチェーン等によって連結するようにしてもよい。ギア機構で連結した場合、回転筒６の外周に設けたギア溝と電動モータの回転軸に結合した小ギアとを減速比に応じたギア機構で連結することによって、所定の回転トルクを得ることができる。
【００２３】
さらに、図３に示すように、上記の回転筒６の内周面に沿う軸方向に所定の螺旋ピッチを有する螺旋体（螺旋形突条１５）が設けられている。なお、上記の螺旋体としては、回転筒６の内周面に螺旋形突条１５を一体的に形成しても良いし、別体の螺旋形突条１５を回転筒６の内周面に挿着したものでもよい。また、回転筒６の螺旋ピッチ間には所定間隔で排出穴７、７…が形成されている。
【００２４】
なお、上記のように電動モータ１１の駆動によって回転筒６を回転するのであるが、その回転速度は回転筒６の内部に入れられたパチンコ玉Bが慣性力によって回転筒６の内周を周回しない程度にしてある。このため、パチンコ玉Bは回転筒６の螺旋ピッチ間の底部に貯留された状態で、螺旋形突条１５の螺旋回転に従って送り方向へ移送されることとなり、パチンコ玉Bは回転筒６が回転して排出穴７が下方に至った時点で、該排出穴７から排出され、補給樋４の底板４ａ上に落下する。
【００２５】
上記の構成により、投入ジョーゴ９から回転筒６の入口側内部に搬送されたパチンコ玉Bは回転筒６の回転に伴って螺旋形突条１５の螺旋ピッチ間を移送されながら任意の排出穴７、７…から補給樋４の底板４ａ上に排出される。
【００２６】
また、回転筒６の内周面に沿って形成された螺旋形突条１５は、上記のように回転筒６の長手方向の全長に設けるほか、不図示であるが、断続的、又は回転筒６の入口側の一部に設けるようにしてもよい。この場合、回転筒６の入口側において、パチンコ玉Bは螺旋形突条１５の螺旋ピッチ間の底部に貯留された状態で回転筒６の回転による慣性力を付与されるため（ただし、上記のように回転筒６の内周に沿って周回することはない）、螺旋形突条１５が途中で切れた状態になっても、そのまま回転筒６内を送り方向へ移動することにより、任意の排出穴７、７…から補給樋４の底板４ａに排出される。
【００２７】
また、補給樋４の底板４ａの勾配面に沿って両側の底部に流下し、さらに補給樋４の両端に設けられた補給口５、５…を介して遊技島３の各遊技機２、２…、または玉貸機に補給される。
【００２８】
上記の本発明の補給玉移送装置は、回転筒をユニット式に構成し、複数のユニット式回転筒を連結することによって所定長さの回転筒を得るようにしてもよい。この場合、施工時においては、ユニット式であるため、運搬及び取付け作業等が容易に行え、さらにはユニット単位でのメンテナンスや交換作業を行うことが可能となり、作業性において顕著な効果が得られる。
【００２９】
さらに、本発明の補給玉移送装置は、遊技島の表側列と裏側列の各列の上部に、独立した回転筒を取り付けることにより、遊技島に２本の平行な回転筒を取り付けた構成とすることも可能である。この場合、表側列の各遊技機と裏側列の各遊技機に、独立した状態でパチンコ玉を補給することが可能となり、一方の列の補給玉移送装置の状況が、他の列の補給玉移送装置に影響を及ぼさない等、円滑な補給作業やメンテナンスの作業性等の面で有利となる。
【産業上の利用可能性】
【００３０】
本発明の補給玉移送装置は、複数台列設した遊技機の夫々にパチンコ玉を補給する装置であって、遊技島の高さを低く抑えることができるため、視覚的に圧迫感を与えることがなく、遊技場全体の見映えを良くすることができ、さらに防犯カメラの死角が従来装置に比べて生じ難く、セキュリティ対策にも好適し、しかも従来の搬送ベルトのようなベルト切れのおそれがなく、施工及びメンテナンスにおいても面倒な作業を必要としない補給玉移送装置としての利用が可能である。
【図面の簡単な説明】
【００３１】
【図１】本発明による補給玉移送装置を遊技島の上部に取り付けた状態を示す遊技島の正面図である。
【図２】本発明による補給玉移送装置の入口側付近（他の部分は破断して省略してある。以下、同様。）の斜視図である。
【図３】本発明による補給玉移送装置の入口側付近の斜視図であり、回転筒の内部が見えるように破断した部分を有する。
【図４】本発明による補給玉移送装置の入口側付近の上面図である。
【図５】本発明による補給玉移送装置の入口側付近の側面図であり、補給樋を一部破断してある。
【図６】本発明による補給玉移送装置の入口側付近における軸方向縦断面図である。
【図７】本発明による補給玉移送装置の端面図であって、モータを補給樋の下部に設けた状況を示す。
【図８】本発明による補給玉移送装置の端面図であって、モータを補給樋の上部に設けた状況を示す。
【図９】従来の補給樋を遊技島の上方に傾斜状に取り付けた状態を示す遊技島の正面図である。
【図１０】従来技術に係る特許文献１の装置の部分斜視図である。
【図１１】(ａ)は従来技術に係る特許文献２の装置の斜視図であり、(ｂ)はその軸方向縦断面図である。
【符号の説明】
【００３２】
１        補給玉移送装置
２        遊技機
３        遊技島
４        補給樋
４ａ      底板
５        補給口
６        回転筒
６ａ      入口側開口
７        排出穴
８        揚送装置
９        投入ジョーゴ
１０      支持ローラ
１１      電動モータ
１１ａ    回転軸
１２      プーリ
１３      ベルト
１４      天板
１５      螺旋形突条
Ｂ        パチンコ玉
【図１】
2006230730.tif 000003
【図２】
2006230730.tif 000004
【図３】
2006230730.tif 000005
【図４】
2006230730.tif 000006
【図５】
2006230730.tif 000007
【図６】
2006230730.tif 000008
【図７】
2006230730.tif 000009
【図８】
2006230730.tif 000010
【図９】
2006230730.tif 000011
【図１０】
2006230730.tif 000012
【図１１】
2006230730.tif 000013